【手続補正書】
【提出日】平成20年1月23日(2008.1.23)
【手続補正１】
【補正対象書類名】明細書
【補正対象項目名】発明の名称
【補正方法】変更
【補正の内容】
【発明の名称】複合的利用に係る著作権使用料分配額算出方法、及び同方法を実行するコンピュータ・プログラム
【手続補正２】
【補正対象書類名】明細書
【補正対象項目名】特許請求の範囲
【補正方法】変更
【補正の内容】
【特許請求の範囲】
【請求項１】  著作物の使用者から徴収された著作権料の金額データを格納すると共に、分割計算後の各分割基金の各格納領域を有する金額データ格納手段と、
少なくとも著作物作品の著作者乃至著作権者とその者の間の分配率、支分権を含む著作権の信託の有無を含んだ著作物作品に関する作品データを格納する作品データ格納手段と、
著作権使用料の徴収された期間において実際に使用された著作物作品の蓄積データ・使用回数・蓄積及び使用装置台数などの使用の状況に関するデータを格納する使用物データ格納手段と、
所定の期間におけるそれらの金額データの合計金額を計算し、上記金額データ格納手段に格納すると共に、少なくとも著作物の支分権の種類毎に、その態様に応じて予め定められた割合に応じて、合計金額を分割計算し、その分割基金を上記金額データ格納手段の支分権毎の各格納領域に格納する基金計算手段と、
上記使用物データ格納手段からデータを読み出して、使用された著作物作品に対し、少なくとも上記支分権の夫々の態様に応じて決められた基本点数を割り付ける基本点数割付手段と、
上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして演算する作品ポイント計算手段と、
算出された著作物作品毎の作品ポイントを格納するポイント格納手段と、
著作物作品毎の上記作品ポイントに、少なくとも支分権の態様別に上記基本点数を掛け合わせて、個別点数を算出する個別点数計算手段と、
著作物作品毎の個別点数を格納する個別点数格納手段と、
少なくとも支分権の態様毎に、著作物作品毎の個別点数を合算させて、夫々の総点数を算出する総点数計算手段と、
上記支分権の態様毎の上記分割基金の金額を、夫々の総点数で割って、支分権の態様毎の１点単価を算出する１点単価計算手段と、
１点単価と個別点数を掛け合わせて、夫々の支分権の態様における著作物作品毎の使用料を算出する使用料計算手段と、
各基金別の１曲使用料を格納する分配対象データ格納手段と、
夫々の支分権の態様における著作物作品毎の使用料から、上記分配率に応じて、著作権信託者の分配金額を算出する分配金額計算手段と
を有する装置による複合的利用に係る著作権使用料分配額算出方法において、
上記基金計算手段により、著作物の使用者から所定の期間において徴収された著作権使用料の合計金額を計算させるステップと、
同じく基金計算手段により、少なくとも著作物の支分権の種類毎に、その態様に応じて予め定められている割合に応じて、合計金額の分割計算を行わせ、その分割基金を、上記金額データ格納手段の支分権毎の各格納領域に格納するステップと、
上記基本点数割付手段により、上記使用物データ格納手段からデータを読み出して、使用された著作物作品に対し、少なくとも上記支分権の夫々の態様に応じて決められた基本点数を割り付けるステップと、
上記作品ポイント計算手段により、上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして算出させ、ポイント格納手段に格納させるステップと、
上記個別点数計算手段により、著作物作品毎の上記作品ポイントに、少なくとも支分権の態様別に上記基本点数を掛け合わせて、個別点数を算出させ、著作物作品毎の個別点数を個別点数格納手段に格納させるステップと、
上記総点数計算手段により、少なくとも支分権の態様毎に、著作物作品毎の個別点数を合算させて、夫々の総点数を算出させるステップと、
上記１点単価計算手段により、上記支分権の態様毎の上記分割金額を、夫々の総点数で割って、支分権の態様毎の１点単価を算出させるステップと、
上記使用料計算手段により、１点単価と個別点数を掛け合わせて、夫々の支分権の態様における著作物作品毎の使用料を算出させ、分配対象データ格納手段に各基金別の１曲使用料を格納するステップと、
上記分配金額計算手段により、夫々の支分権の態様における著作物作品毎の使用料から、上記分配率に応じて、著作権信託者の分配金額を算出させるステップと
が実行されることを特徴とする複合的利用に係る著作権使用料分配額算出方法。
【請求項２】  上記基本点数割付手段により基本点数の割付が行われる際に、上記使用物データ格納手段からデータを読み出して、著作物作品の使用が可能な器機の台数が、任意の支分権の態様として参照されることを特徴とする請求項１記載の複合的利用に係る著作権使用料分配額算出方法。
【請求項３】  上記基本点数割付手段により基本点数の割付が行われる際に、新たにデータとして上記作品データ格納手段に格納される著作物作品に関して、著作物作品の使用が可能な器機の全台数を使用物データ格納手段から読み出し、それを基に、その割付が行われることを特徴とする請求項２記載の複合的利用に係る著作権使用料分配額算出方法。
【請求項４】  上記基本点数割付手段により基本点数の割付が行われる際に、既にデータとして上記作品データ格納手段に格納されている著作物作品に関して、著作物作品の使用が可能な器機が増えた分の台数を使用物データ格納手段から読み出し、それを基に、その割付が行われることを特徴とする請求項２記載の複合的利用に係る著作権使用料分配額算出方法。
【請求項５】  上記基本点数割付手段により基本点数の割付が行われる際に、使用物データ格納手段から読み出された著作物作品の使用の回数が、特定の支分権の態様として参照されることを特徴とする請求項１記載の複合的利用に係る著作権使用料分配額算出方法。
【請求項６】  上記作品データ格納手段に格納される著作物作品データには、著作者や著作権者の構成、支分権を含む著作権の信託の有無、分配率などの著作権の変動履歴情報が含まれており、著作権使用料の徴収された期間におけるこれらの変動履歴情報に基づいて、上記作品ポイント計算手段により、著作物作品毎の作品ポイントの算出処理を行わせると共に、上記分配金額計算手段により、分配率に応じた著作権信託者の分配金額の算出処理を行わせることを特徴とする請求項１〜請求項５いずれか１つに記載の複合的利用に係る著作権使用料分配額算出方法。
【請求項７】  上記作品データ格納手段に格納されたデータから、著作権非信託者であっても、著作権信託者との間に使用料の分配の約定があり、該著作権信託者の分配率が他の著作権信託者との間で一定以上であるとのチェックがなされた場合には、上記著作権非信託者を著作権信託者として扱うように、上記作品データ格納手段にその者のデータが規定され、上記作品ポイント計算手段及び分配金額計算手段により、著作物作品毎の作品ポイント算出処理と、著作権信託者の分配金額算出処理を行わせることを特徴とする請求項１〜請求項６いずれか１つに記載の複合的利用に係る著作権使用料分配額算出方法。
【請求項８】  上記分配金額計算手段により、著作権非信託者の分配率を排して該分配率を再構成させ、各支分権の態様毎の夫々の著作物作品の上記使用料に対して、再構成された分配率を掛け合わせて、著作権信託者の分配金額を算出させることを特徴とする請求項１〜請求項７いずれか１つに記載の複合的利用に係る著作権使用料分配額算出方法。
【請求項９】  コンピュータに読み込ませることにより、該コンピュータを、
著作物の使用者から徴収された著作権料の金額データを格納すると共に、分割計算後の各分割基金の各格納領域を有する金額データ格納手段と、
少なくとも著作物作品の著作者乃至著作権者とその者の間の分配率、支分権を含む著作権の信託の有無を含んだ著作物作品に関する作品データを格納する作品データ格納手段と、
著作権使用料の徴収された期間において実際に使用された著作物作品の蓄積データ・使用回数・蓄積及び使用装置台数などの使用の状況に関するデータを格納する使用物データ格納手段と、
所定の期間におけるそれらの金額データの合計金額を計算し、上記金額データ格納手段に格納すると共に、少なくとも著作物の支分権の種類毎に、その態様に応じて予め定められた割合に応じて、合計金額を分割計算し、その分割基金を上記金額データ格納手段の支分権毎の各格納領域に格納する基金計算手段と、
上記使用物データ格納手段からデータを読み出して、使用された著作物作品に対し、少なくとも上記支分権の夫々の態様に応じて決められた基本点数を割り付ける基本点数割付手段と、
上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして演算する作品ポイント計算手段と、
算出された著作物作品毎の作品ポイントを格納するポイント格納手段と、
著作物作品毎の上記作品ポイントに、少なくとも支分権の態様別に上記基本点数を掛け合わせて、個別点数を算出する個別点数計算手段と、
著作物作品毎の個別点数を格納する個別点数格納手段と、
少なくとも支分権の態様毎に、著作物作品毎の個別点数を合算させて、夫々の総点数を算出する総点数計算手段と、
上記支分権の態様毎の上記分割基金の金額を、夫々の総点数で割って、支分権の態様毎の１点単価を算出する１点単価計算手段と、
１点単価と個別点数を掛け合わせて、夫々の支分権の態様における著作物作品毎の使用料を算出する使用料計算手段と、
各基金別の１曲使用料を格納する分配対象データ格納手段と、
夫々の支分権の態様における著作物作品毎の使用料から、上記分配率に応じて、著作権信託者の分配金額を算出する分配金額計算手段と
して機能させる著作権使用料分配額算出用のコンピュータ・プログラムであって、
上記基金計算手段により、著作物の使用者から所定の期間において徴収された著作権使用料の合計金額を計算させるステップと、
同じく基金計算手段により、少なくとも著作物の支分権の種類毎に、その態様に応じて予め定められている割合に応じて、合計金額の分割計算を行わせ、その分割基金を、上記金額データ格納手段の支分権毎の各格納領域に格納するステップと、
上記基本点数割付手段により、上記使用物データ格納手段からデータを読み出して、使用された著作物作品に対し、少なくとも上記支分権の夫々の態様に応じて決められた基本点数を割り付けるステップと、
上記作品ポイント計算手段により、上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして算出させ、ポイント格納手段に格納させるステップと、
上記個別点数計算手段により、著作物作品毎の上記作品ポイントに、少なくとも支分権の態様別に上記基本点数を掛け合わせて、個別点数を算出させ、著作物作品毎の個別点数を個別点数格納手段に格納させるステップと、
上記総点数計算手段により、少なくとも支分権の態様毎に、著作物作品毎の個別点数を合算させて、夫々の総点数を算出させるステップと、
上記１点単価計算手段により、上記支分権の態様毎の上記分割金額を、夫々の総点数で割って、支分権の態様毎の１点単価を算出させるステップと、
上記使用料計算手段により、１点単価と個別点数を掛け合わせて、夫々の支分権の態様における著作物作品毎の使用料を算出させ、分配対象データ格納手段に各基金別の１曲使用料を格納するステップと、
上記分配金額計算手段により、夫々の支分権の態様における著作物作品毎の使用料から、上記分配率に応じて、著作権信託者の分配金額を算出させるステップと
を実行させることを特徴とする複合的利用に係る著作権使用料分配額算出用コンピュータ・プログラム。
【請求項１０】  上記基本点数割付手段により基本点数の割付が行われる際に、上記使用物データ格納手段からデータを読み出して、著作物作品の使用が可能な器機の台数が、任意の支分権の態様として参照されることを特徴とする請求項９記載の複合的利用に係る著作権使用料分配額算出用コンピュータ・プログラム。
【請求項１１】  上記基本点数割付手段により基本点数の割付が行われる際に、新たにデータとして上記作品データ格納手段に格納される著作物作品に関して、著作物作品の使用が可能な器機の全台数を使用物データ格納手段から読み出し、それを基に、その割付が行われることを特徴とする請求項１０記載の複合的利用に係る著作権使用料分配額算出用コンピュータ・プログラム。
【請求項１２】  上記基本点数割付手段により基本点数の割付が行われる際に、既にデータとして上記作品データ格納手段に格納されている著作物作品に関して、著作物作品の使用が可能な器機が増えた分の台数を使用物データ格納手段から読み出し、それを基に、その割付が行われることを特徴とする請求項１０記載の複合的利用に係る著作権使用料分配額算出用コンピュータ・プログラム。
【請求項１３】  上記基本点数割付手段により基本点数の割付が行われる際に、使用物データ格納手段から読み出された著作物作品の使用の回数が、特定の支分権の態様として参照されることを特徴とする請求項９記載の複合的利用に係る著作権使用料分配額算出用コンピュータ・プログラム。
【請求項１４】  上記作品データ格納手段に格納される著作物作品データには、著作者や著作権者の構成、支分権を含む著作権の信託の有無、分配率などの著作権の変動履歴情報が含まれており、著作権使用料の徴収された期間におけるこれらの変動履歴情報に基づいて、上記作品ポイント計算手段により、著作物作品毎の作品ポイントの算出処理を行わせると共に、上記分配金額計算手段により、分配率に応じた著作権信託者の分配金額の算出処理を行わせることを特徴とする請求項９〜請求項１３いずれか１つに記載の複合的利用に係る著作権使用料分配額算出用コンピュータ・プログラム。
【請求項１５】  上記作品データ格納手段に格納されたデータから、著作権非信託者であっても、著作権信託者との間に使用料の分配の約定があり、該著作権信託者の分配率が他の著作権信託者との間で一定以上であるとのチェックがなされた場合には、上記著作権非信託者を著作権信託者として扱うように、上記作品データ格納手段にその者のデータが規定され、上記作品ポイント計算手段及び分配金額計算手段により、著作物作品毎の作品ポイント算出処理と、著作権信託者の分配金額算出処理を行わせることを特徴とする請求項９〜請求項１４いずれか１つに記載の複合的利用に係る著作権使用料分配額算出用コンピュータ・プログラム。
【請求項１６】  上記分配金額計算手段により、著作権非信託者の分配率を排して該分配率を再構成させ、各支分権の態様毎の夫々の著作物作品の上記使用料に対して、再構成された分配率を掛け合わせて、著作権信託者の分配金額を算出させることを特徴とする請求項９〜請求項１５いずれか１つに記載の複合的利用に係る著作権使用料分配額算出用コンピュータ・プログラム。
【手続補正３】
【補正対象書類名】明細書
【補正対象項目名】０００１
【補正方法】変更
【補正の内容】
【０００１】
【発明の属する技術分野】
本発明は、複合的利用に係る著作権使用料分配額算出方法、及び同方法を実行するコンピュータ・プログラムに関する。
【手続補正４】
【補正対象書類名】明細書
【補正対象項目名】００１６
【補正方法】変更
【補正の内容】
【００１６】
本発明は、以上のような問題に鑑み創案されたもので、徴収した著作権使用料を、複合的使用の状況に即して、正確且つ公平に、また信託者にだけ配分できるようにするものであり、そのような目的に対応した著作権使用料の分配額が算出できる著作権使用料分配額算出方法を提供せんとするものである。併せて同方法を実行するコンピュータ・プログラムについても提案する。
【手続補正５】
【補正対象書類名】明細書
【補正対象項目名】００２３
【補正方法】変更
【補正の内容】
【００２３】
すなわち本発明の複合的利用に係る著作権使用料分配額算出方法は、
著作物の使用者から徴収された著作権料の金額データを格納すると共に、分割計算後の各分割基金の各格納領域を有する金額データ格納手段と、
少なくとも著作物作品の著作者乃至著作権者とその者の間の分配率、支分権を含む著作権の信託の有無を含んだ著作物作品に関する作品データを格納する作品データ格納手段と、
著作権使用料の徴収された期間において実際に使用された著作物作品の蓄積データ・使用回数・蓄積及び使用装置台数などの使用の状況に関するデータを格納する使用物データ格納手段と、
所定の期間におけるそれらの金額データの合計金額を計算し、上記金額データ格納手段に格納すると共に、少なくとも著作物の支分権の種類毎に、その態様に応じて予め定められた割合に応じて、合計金額を分割計算し、その分割基金を上記金額データ格納手段の支分権毎の各格納領域に格納する基金計算手段と、
上記使用物データ格納手段からデータを読み出して、使用された著作物作品に対し、少なくとも上記支分権の夫々の態様に応じて決められた基本点数を割り付ける基本点数割付手段と、
上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして演算する作品ポイント計算手段と、
算出された著作物作品毎の作品ポイントを格納するポイント格納手段と、
著作物作品毎の上記作品ポイントに、少なくとも支分権の態様別に上記基本点数を掛け合わせて、個別点数を算出する個別点数計算手段と、
著作物作品毎の個別点数を格納する個別点数格納手段と、
少なくとも支分権の態様毎に、著作物作品毎の個別点数を合算させて、夫々の総点数を算出する総点数計算手段と、
上記支分権の態様毎の上記分割基金の金額を、夫々の総点数で割って、支分権の態様毎の１点単価を算出する１点単価計算手段と、
１点単価と個別点数を掛け合わせて、夫々の支分権の態様における著作物作品毎の使用料を算出する使用料計算手段と、
各基金別の１曲使用料を格納する分配対象データ格納手段と、
夫々の支分権の態様における著作物作品毎の使用料から、上記分配率に応じて、著作権信託者の分配金額を算出する分配金額計算手段と
を有する装置による複合的利用に係る著作権使用料分配額算出方法において、
上記基金計算手段により、著作物の使用者から所定の期間において徴収された著作権使用料の合計金額を計算させるステップと、
同じく基金計算手段により、少なくとも著作物の支分権の種類毎に、その態様に応じて予め定められている割合に応じて、合計金額の分割計算を行わせ、その分割基金を、上記金額データ格納手段の支分権毎の各格納領域に格納するステップと、
上記基本点数割付手段により、上記使用物データ格納手段からデータを読み出して、使用された著作物作品に対し、少なくとも上記支分権の夫々の態様に応じて決められた基本点数を割り付けるステップと、
上記作品ポイント計算手段により、上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして算出させ、ポイント格納手段に格納させるステップと、
上記個別点数計算手段により、著作物作品毎の上記作品ポイントに、少なくとも支分権の態様別に上記基本点数を掛け合わせて、個別点数を算出させ、著作物作品毎の個別点数を個別点数格納手段に格納させるステップと、
上記総点数計算手段により、少なくとも支分権の態様毎に、著作物作品毎の個別点数を合算させて、夫々の総点数を算出させるステップと、
上記１点単価計算手段により、上記支分権の態様毎の上記分割金額を、夫々の総点数で割って、支分権の態様毎の１点単価を算出させるステップと、
上記使用料計算手段により、１点単価と個別点数を掛け合わせて、夫々の支分権の態様における著作物作品毎の使用料を算出させ、分配対象データ格納手段に各基金別の１曲使用料を格納するステップと、
上記分配金額計算手段により、夫々の支分権の態様における著作物作品毎の使用料から、上記分配率に応じて、著作権信託者の分配金額を算出させるステップと
が実行されることを基本的特徴としている。
【手続補正６】
【補正対象書類名】明細書
【補正対象項目名】００２７
【補正方法】変更
【補正の内容】
【００２７】
上記基本点数割付手段により基本点数の割付が行われる際に、例えば上記のような業務用通信カラオケの場合、著作物作品の使用が可能な器機の台数が任意の支分権の態様として参照される、すなわち、上記使用物データ格納手段からデータを読み出して、著作物作品の使用が可能な器機の台数が、任意の支分権の態様として参照されることが考えられる（請求項２）。このような構成によって、音楽作品などを通信カラオケなどで利用する場合に、特に（蓄積・送信の両方において）上記品揃えが考慮されることになる。
【手続補正７】
【補正対象書類名】明細書
【補正対象項目名】００２８
【補正方法】変更
【補正の内容】
【００２８】
また音楽作品の場合、既にサーバ（本店サーバ及び支店などのサーバ）などに蓄積されている曲の場合と、新曲でこれからこれらのサーバなどへ蓄積される曲の場合とでは、蓄積（録音権）の回数が異なることになる。すなわち、既にサーバなどに蓄積されている曲の場合（既にデータとして格納されている著作物作品の場合）、大抵は新たに増えた支店や加盟店などのサーバ（本店サーバに対しては端末に当たる）などへの蓄積分だけ、基本点数の割付に参照されれば良いが、新曲でこれからこれらのサーバなどへ蓄積される曲の場合（新たにデータとして格納される著作物作品の場合）、本店・支店・加盟店など全サーバなどへの蓄積が行われるため、それら全蓄積分だけ、基本点数の割付に参照されなければならない。従って上記請求項２の場合でも、上記基本点数割付手段により基本点数の割付が行われる際に、特に新たにデータとして上記作品データ格納手段に格納される著作物作品に関しては、著作物作品の使用が可能な器機（該著作物作品の蓄積がその器機に行われている）の全台数を使用物データ格納手段から読み出し、それを基に、基本点数の割付が行われるようにする構成が考えられる（請求項３）。また同じく請求項２の場合でも、特に既にデータとして上記作品データ格納手段に格納されている著作物作品に関しては、著作物作品の使用が可能な器機が増えた分の台数を使用物データ格納手段から読み出し、それを基に、その割付が行われることが考えられる（請求項４）。
【手続補正８】
【補正対象書類名】明細書
【補正対象項目名】００２９
【補正方法】変更
【補正の内容】
【００２９】
他方著作物作品は利用（使用）される回数に応じて、特定の支分権の行使回数が決定されて良いものがある。著作者乃至著作権者の立場から見れば、使用される回数が多い著作物作品ほど価値があり、徴収された著作権使用料の中からその分に見合う金額が分配されるべきである。従ってそのような場合は、上記基本点数割付手段により基本点数の割付が行われる際に、使用物データ格納手段から読み出された著作物作品の使用の回数が、特定の支分権の態様として参照されると良い（請求項５）。
【手続補正９】
【補正対象書類名】明細書
【補正対象項目名】００３１
【補正方法】変更
【補正の内容】
【００３１】
すなわち請求項６は、このような要請に対応する構成であり、上記作品データ格納手段に格納される著作物作品データには、著作者や著作権者の構成、支分権を含む著作権の信託の有無、分配率などの著作権の変動履歴情報が含まれており、著作権使用料の徴収された期間におけるこれらの変動履歴情報に基づいて、上記作品ポイント計算手段により、著作物作品毎の作品ポイントの算出処理を行わせると共に、上記分配金額計算手段により、分配率に応じた著作権信託者の分配金額の算出処理を行わせることを規定している。
【手続補正１０】
【補正対象書類名】明細書
【補正対象項目名】００３３
【補正方法】変更
【補正の内容】
【００３３】
すなわち請求項７は、このような要請に対応する構成であり、上記作品データ格納手段に格納されたデータから、著作権非信託者であっても、著作権信託者との間に使用料の分配の約定があり、該著作権信託者の分配率が他の著作権信託者との間で一定以上であるとのチェックがなされた場合には、上記著作権非信託者を著作権信託者として扱うように、上記作品データ格納手段にその者のデータが規定され、上記作品ポイント計算手段及び分配金額計算手段により、著作物作品毎の作品ポイント算出処理と、著作権信託者の分配金額算出処理を行わせることを規定している。
【手続補正１１】
【補正対象書類名】明細書
【補正対象項目名】００３５
【補正方法】変更
【補正の内容】
【００３５】
すなわち請求項８は、このような要請に対応する構成であり、上記分配金額計算手段により、著作権非信託者の分配率を排して該分配率を再構成させ、各支分権の態様毎の夫々の著作物作品の上記使用料に対して、再構成された分配率を掛け合わせて、著作権信託者の分配金額を算出させることを規定している。実際の分配率の再構成のやり方としては、たとえば、信託者分の分配率を合計し、それを分母に、個々の信託者の分配率を分子として、その著作物作品毎の分配率を再構成することなどが考えられる。それによって、著作権非信託者分を除いた分配率が再構成されることになり、著作権非信託者の留保分を出さないようにして、各作品毎で且つ各支分権の夫々の態様毎に、徴収された著作権使用料が分配されることになる。
【手続補正１２】
【補正対象書類名】明細書
【補正対象項目名】００３７
【補正方法】変更
【補正の内容】
【００３７】
すなわち、上述した課題を解決するための構成として、上記各ステップを、コンピュータの構成を利用して実行する、該コンピュータで読み込まれて実行可能なコンピュータ・プログラムにつき開示する。もちろんこれらの構成は、コンピュータ・プログラムとしてだけではなく、後述するように、同様な機能を有するプログラムを記録した記録媒体の構成として提供されても良いことは言うまでもない。この場合、コンピュータとは中央演算処理装置の構成を含んだ汎用的なコンピュータの構成の他、特定の処理に向けられた専用機などを含むものであっても良く、中央演算処理装置の構成を伴うものであれば特に限定はない。
【手続補正１３】
【補正対象書類名】明細書
【補正対象項目名】００４３
【補正方法】変更
【補正の内容】
【００４３】
そのうち、請求項９の構成は、請求項１の構成に対応する構成であり、その具体的構成は、
コンピュータに読み込ませることにより、該コンピュータを、
著作物の使用者から徴収された著作権料の金額データを格納すると共に、分割計算後の各分割基金の各格納領域を有する金額データ格納手段と、
少なくとも著作物作品の著作者乃至著作権者とその者の間の分配率、支分権を含む著作権の信託の有無を含んだ著作物作品に関する作品データを格納する作品データ格納手段と、
著作権使用料の徴収された期間において実際に使用された著作物作品の蓄積データ・使用回数・蓄積及び使用装置台数などの使用の状況に関するデータを格納する使用物データ格納手段と、
所定の期間におけるそれらの金額データの合計金額を計算し、上記金額データ格納手段に格納すると共に、少なくとも著作物の支分権の種類毎に、その態様に応じて予め定められた割合に応じて、合計金額を分割計算し、その分割基金を上記金額データ格納手段の支分権毎の各格納領域に格納する基金計算手段と、
上記使用物データ格納手段からデータを読み出して、使用された著作物作品に対し、少なくとも上記支分権の夫々の態様に応じて決められた基本点数を割り付ける基本点数割付手段と、
上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして演算する作品ポイント計算手段と、
算出された著作物作品毎の作品ポイントを格納するポイント格納手段と、
著作物作品毎の上記作品ポイントに、少なくとも支分権の態様別に上記基本点数を掛け合わせて、個別点数を算出する個別点数計算手段と、
著作物作品毎の個別点数を格納する個別点数格納手段と、
少なくとも支分権の態様毎に、著作物作品毎の個別点数を合算させて、夫々の総点数を算出する総点数計算手段と、
上記支分権の態様毎の上記分割基金の金額を、夫々の総点数で割って、支分権の態様毎の１点単価を算出する１点単価計算手段と、
１点単価と個別点数を掛け合わせて、夫々の支分権の態様における著作物作品毎の使用料を算出する使用料計算手段と、
各基金別の１曲使用料を格納する分配対象データ格納手段と、
夫々の支分権の態様における著作物作品毎の使用料から、上記分配率に応じて、著作権信託者の分配金額を算出する分配金額計算手段と
して機能させる著作権使用料分配額算出用のコンピュータ・プログラムであって、
上記基金計算手段により、著作物の使用者から所定の期間において徴収された著作権使用料の合計金額を計算させるステップと、
同じく基金計算手段により、少なくとも著作物の支分権の種類毎に、その態様に応じて予め定められている割合に応じて、合計金額の分割計算を行わせ、その分割基金を、上記金額データ格納手段の支分権毎の各格納領域に格納するステップと、
上記基本点数割付手段により、上記使用物データ格納手段からデータを読み出して、使用された著作物作品に対し、少なくとも上記支分権の夫々の態様に応じて決められた基本点数を割り付けるステップと、
上記作品ポイント計算手段により、上記作品データ格納手段に格納されている著作物作品データから、著作物作品毎に、著作権非信託者の分配率を排して著作権信託者の分配率を合計させ、所定の数値にかけることにより、著作権非信託者の分配率を含まない比率に直して、著作権信託者のみの分配率を著作物作品毎の作品ポイントとして算出させ、ポイント格納手段に格納させるステップと、
上記個別点数計算手段により、著作物作品毎の上記作品ポイントに、少なくとも支分権の態様別に上記基本点数を掛け合わせて、個別点数を算出させ、著作物作品毎の個別点数を個別点数格納手段に格納させるステップと、
上記総点数計算手段により、少なくとも支分権の態様毎に、著作物作品毎の個別点数を合算させて、夫々の総点数を算出させるステップと、
上記１点単価計算手段により、上記支分権の態様毎の上記分割金額を、夫々の総点数で割って、支分権の態様毎の１点単価を算出させるステップと、
上記使用料計算手段により、１点単価と個別点数を掛け合わせて、夫々の支分権の態様における著作物作品毎の使用料を算出させ、分配対象データ格納手段に各基金別の１曲使用料を格納するステップと、
上記分配金額計算手段により、夫々の支分権の態様における著作物作品毎の使用料から、上記分配率に応じて、著作権信託者の分配金額を算出させるステップと
を該コンピュータに実行させることを特徴とするコンピュータ・プログラムである。
【手続補正１４】
【補正対象書類名】明細書
【補正対象項目名】００４４
【補正方法】変更
【補正の内容】
【００４４】
請求項１０に規定されたコンピュータ・プログラムの構成は、請求項２の構成に対応する構成であり、上記基本点数割付手段により基本点数の割付が行われる際に、上記使用物データ格納手段からデータを読み出して、著作物作品の使用が可能な器機の台数が、任意の支分権の態様として参照されることを特徴としている。
【手続補正１５】
【補正対象書類名】明細書
【補正対象項目名】００４５
【補正方法】変更
【補正の内容】
【００４５】
請求項１１に規定されたコンピュータ・プログラムの構成は、請求項３の構成に対応する構成であり、上記基本点数割付手段により基本点数の割付が行われる際に、新たにデータとして上記作品データ格納手段に格納される著作物作品に関して、著作物作品の使用が可能な器機の全台数を使用物データ格納手段から読み出し、それを基に、その割付が行われることを特徴としている。
【手続補正１６】
【補正対象書類名】明細書
【補正対象項目名】００４６
【補正方法】変更
【補正の内容】
【００４６】
請求項１２に規定されたコンピュータ・プログラムの構成は、請求項４の構成に対応する構成であり、上記基本点数割付手段により基本点数の割付が行われる際に、既にデータとして上記作品データ格納手段に格納されている著作物作品に関して、著作物作品の使用が可能な器機が増えた分の台数を使用物データ格納手段から読み出し、それを基に、その割付が行われることを特徴としている。
【手続補正１７】
【補正対象書類名】明細書
【補正対象項目名】００４７
【補正方法】変更
【補正の内容】
【００４７】
請求項１３に規定されたコンピュータ・プログラムの構成は、請求項５の構成に対応する構成であり、上記基本点数割付手段により基本点数の割付が行われる際に、使用物データ格納手段から読み出された著作物作品の使用の回数が、特定の支分権の態様として参照されることを特徴としている。
【手続補正１８】
【補正対象書類名】明細書
【補正対象項目名】００４８
【補正方法】変更
【補正の内容】
【００４８】
請求項１４に規定されたコンピュータ・プログラムの構成は、請求項６の構成に対応する構成であり、上記作品データ格納手段に格納される著作物作品データには、著作者や著作権者の構成、支分権を含む著作権の信託の有無、分配率などの著作権の変動履歴情報が含まれており、著作権使用料の徴収された期間におけるこれらの変動履歴情報に基づいて、上記作品ポイント計算手段により、著作物作品毎の作品ポイントの算出処理を行わせると共に、上記分配金額計算手段により、分配率に応じた著作権信託者の分配金額の算出処理を行わせることを特徴としている。
【手続補正１９】
【補正対象書類名】明細書
【補正対象項目名】００４９
【補正方法】変更
【補正の内容】
【００４９】
請求項１５に規定されたコンピュータ・プログラムの構成は、請求項７の構成に対応する構成であり、上記作品データ格納手段に格納されたデータから、著作権非信託者であっても、著作権信託者との間に使用料の分配の約定があり、該著作権信託者の分配率が他の著作権信託者との間で一定以上であるとのチェックがなされた場合には、上記著作権非信託者を著作権信託者として扱うように、上記作品データ格納手段にその者のデータが規定され、上記作品ポイント計算手段及び分配金額計算手段により、著作物作品毎の作品ポイント算出処理と、著作権信託者の分配金額算出処理を行わせることを特徴としている。
【手続補正２０】
【補正対象書類名】明細書
【補正対象項目名】００５０
【補正方法】変更
【補正の内容】
【００５０】
請求項１６に規定されたコンピュータ・プログラムの構成は、請求項８の構成に対応する構成であり、上記分配金額計算手段により、著作権非信託者の分配率を排して該分配率を再構成させ、各支分権の態様毎の夫々の著作物作品の上記使用料に対して、再構成された分配率を掛け合わせて、著作権信託者の分配金額を算出させることを特徴としている。
【手続補正２１】
【補正対象書類名】明細書
【補正対象項目名】００５１
【補正方法】変更
【補正の内容】
【００５１】
請求項９〜請求項１６いずれか１つに記載のコンピュータ・プログラムは、これらが格納されたコンピュータ読み取り可能な記録媒体として提供することも可能である。すなわち、これらのコンピュータ・プログラムは、記録媒体に格納されて、取引の対象とすること或いは実際に実行することなども可能である。
【手続補正２２】
【補正対象書類名】明細書
【補正対象項目名】０１１８
【補正方法】変更
【補正の内容】
【０１１８】
【発明の効果】
以上、説明したように本発明の請求項１〜請求項１６記載の複合的利用に係る著作権使用料分配額算出方法、及び同方法を実行するコンピュータ・プログラムによれば、徴収された著作物作品の著作権使用料に対して留保分の発生がなくなり、信託者にのみ分配し、且つ著作権使用料の徴収された期間における上記変動履歴情報に基づいて、正確に支払われることになるばかりか、これらの著作物作品の複合的使用状況に即して、夫々の著作者乃至著作権者毎に公平に分配することも可能になるという優れた効果を奏し得る。